(57)【要約】【課題】スカート壁（６）のタンパーエビデント裾部（２０）の厚さが相当薄い場合でも、容器の口頸部（４０）を密封するために容器の口頸部に容器蓋（２）を被嵌して閉方向に回転せしめる際に、タンパーエビデント裾部の下端部が半径方向内方に変位して内側に巻き込まれることが充分確実に回避される、新規且つ改良された合成樹脂製容器蓋を提供すること。【解決手段】タンパーエビデント裾部の内周面には、係止突条（３６）の下面から下方に延出し且つ内面は下方に向かって半径方向外方に傾斜する複数個の補強リブ（３８）を周方向に間隔をおいて複数個形成する。【選択図】図１
2014122061.tif 000002
【特許請求の範囲】
【請求項１】
円形天面壁と該天面壁の周縁から垂下する円筒形スカート壁とを具備し、該スカート壁には周方向に延びる破断ラインが形成されていて、該スカート壁は該破断ラインより上方の主部と該破断ラインより下方のタンパーエビデント裾部とに区画されており、該主部の内周面には雌螺条が形成され、該タンパーエビデント裾部の内周面には周方向に間隔をおいて周方向に延びる複数個の係止突条或いは周方向に連続して延びる１個の係止突条から構成された係止手段が配設されている合成樹脂製容器蓋において、
該タンパーエビデント裾部の該内周面には、該係止突条の下面から下方に延出し且つ内面は下方に向かって半径方向外方に傾斜する複数個の補強リブが周方向に間隔をおいて複数個形成されている、ことを特徴とする合成樹脂製容器蓋。
【請求項２】
該補強リブの内面下端は該タンパーエビデント裾部の内周面下端に合致せしめられている、請求項１記載の合成樹脂製容器蓋。
【請求項３】
該タンパーエビデント裾部の外周面下端部は下方に向かって半径方向外方に傾斜する円錐台形状部を含み、該タンパーエビデント裾部の下端部は厚さが増大せしめられている、請求項１又は２記載の合成樹脂製容器蓋。
【請求項４】
該係止手段は周方向に等間隔をおいて周方向に延びる４乃至６個の係止突条から形成されており、該係止突条の各々は同一形態であり、該係止突条の各々に対して周方向に等間隔をおいて２個乃至４個の補強リブが形成されており、該補強リブの各々は同一形態である、請求項１から３までのいずれかに記載の合成樹脂製容器蓋。
【発明の詳細な説明】
【技術分野】
【０００１】
本発明は、合成樹脂製容器蓋、更に詳しくは円形天面壁とこの天面壁の周縁から垂下する円筒形スカート壁とを具備し、スカート壁には周方向に延びる破断ラインが形成されていて、スカート壁は破断ラインより上方の主部と破断ラインより下方のタンパーエビデント裾部に区画されている合成樹脂製容器蓋に関する。
【背景技術】
【０００２】
下記特許文献１及び２に開示されている如く、ポリエチレンテレフタレートの如き適宜の合成樹脂、ガラス或いは金属薄板から形成された飲料用容器のための容器蓋として、円形天面壁とこの天面壁の周縁から垂下する円筒形スカート壁を具備し、スカート壁には周方向に延びる破断ラインが形成されていて、スカート壁は破断ラインより上方の主部と破断ラインより下方のタンパーエビデント裾部に区画されている合成樹脂製容器が広く実用に供されている。スカート壁の主部の内周面には雌螺条が形成されており、タンパーエビデント裾部の内周面には係止手段が形成されている。係止手段は周方向に間隔をおいて周方向に延びる複数個の係止突条或いは周方向に連続して延びる１個の係止突条から構成されている。容器は円筒形状の口頸部を備えており、この口頸部の外周面には雄螺条とこの雄螺条の下方に位置する係止あご部が形成されている。
【０００３】
容器の口頸部に容器蓋を装着して密封する際には、容器の口頸部に容器蓋を被嵌し、口頸部に対して容器を閉回転方向（上方から見て時計方向）に回転せしめて、容器蓋の雌螺条を口頸部の雄螺条に螺合せしめる。容器の係止手段は口頸部の係止あご部を弾性的に乗り越えてその下方に係止せしめられる。
【先行技術文献】
【特許文献】
【０００４】
【特許文献１】特開２０１２−１７１６４６号公報
【特許文献２】特開２０１２−２０１４０２号公報
【発明の概要】
【発明が解決しようとする課題】
【０００５】
而して、上述したとおりの従来の容器蓋には、特に成形材料量の低減のためにスカート壁のタンパーエビデント裾部の厚さを相当薄く設定した場合に、容器の口頸部を密封するために容器の口頸部に容器蓋を被嵌して閉方向に回転せしめる際に、口頸部の雄螺条の上面に当接するタンパーエビデント裾部の下端部が、半径方向外方ではなくて半径方向内方に変位して内側に巻き込まれ、これによって容器蓋の装着操作が不可能になってしまう傾向がある。
【０００６】
本発明は上記事実に鑑みてなされたものであり、その主たる技術的課題は、スカート壁のタンパーエビデント裾部の厚さが相当薄い場合でも、容器の口頸部を密封するために容器の口頸部に容器蓋を被嵌して閉方向に回転せしめる際に、タンパーエビデント裾部の下端部が半径方向内方に変位して内側に巻き込まれることが充分確実に回避される、新規且つ改良された合成樹脂製容器蓋を提供することである。
【課題を解決するための手段】
【０００７】
本発明者等は、鋭意検討の結果、タンパーエビデント裾部の内周面に、係止突条の下面から下方に延出し且つ内面は下方に向かって半径方向外方に傾斜する複数個の補強リブを周方向に間隔をおいて複数個形成することによって、上記技術的課題を達成することができることを見出した。
【０００８】
即ち、本発明によれば、上記技術的課題を達成する合成樹脂製容器蓋として、円形天面壁と該天面壁の周縁から垂下する円筒形スカート壁とを具備し、該スカート壁には周方向に延びる破断ラインが形成されていて、該スカート壁は該破断ラインより上方の主部と該破断ラインより下方のタンパーエビデント裾部とに区画されており、該主部の内周面には雌螺条が形成され、該タンパーエビデント裾部の内周面には周方向に間隔をおいて周方向に延びる複数個の係止突条或いは周方向に連続して延びる１個の係止突条から構成された係止手段が配設されている合成樹脂製容器蓋において、
該タンパーエビデント裾部の該内周面には、該係止突条の下面から下方に延出し且つ内面は下方に向かって半径方向外方に傾斜する複数個の補強リブが周方向に間隔をおいて複数個形成されている、ことを特徴とする合成樹脂製容器蓋が提供される。
【０００９】
該補強リブの内面下端は該タンパーエビデント裾部の内周面下端に合致せしめられている、換言すれば補強リブの下端内面はタンパーエビデント裾部の下端内周面と合致する、のが好適である。好ましくは、該タンパーエビデント裾部の外周面下端部は下方に向かって半径方向外方に傾斜する円錐台形状部を含み、該タンパーエビデント裾部の下端部は厚さが増大せしめられている。該係止手段は周方向に等間隔をおいて周方向に延びる４乃至６個の係止突条から形成されており、該係止突条の各々は同一形態であり、該係止突条の各々に対して周方向に等間隔をおいて２個乃至４個の補強リブが形成されており、該補強リブの各々は同一形態であるのが好都合である。
【発明の効果】
【００１０】
本発明の合成樹脂製容器蓋によれば、補強リブによってタンパーエビデント裾部の下端部が補強されると共に、補強リブの内面は下方に向かって半径方向外方に傾斜していることに起因して、タンパーエビデント裾部の下端が口頸部の雄螺条の上面に当接した時にタンパーエビデント裾部の下端部が半径方向内方ではなくて半径方向外方に誘導変位され、かくしてスカート壁のタンパーエビデント裾部の厚さが相当薄い場合でも、容器の口頸部を密封するために容器の口頸部に容器蓋を被嵌して閉方向に回転せしめる際に、タンパーエビデント裾部の下端部が半径方向内方に変位して内側に巻き込まれることが充分確実に回避される。
【図面の簡単な説明】
【００１１】
【図１】本発明に従って構成された合成樹脂製容器蓋の好適実施形態を、一部を断面で示す正面図。
【図２】図１に示す容器蓋の底面図。
【図３】図１に示す容器蓋を容器の口頸部に装着する際のタンパーエビデント裾部の挙動を示す部分断面図。
【発明を実施するための形態】
【００１２】
以下、添付図面を参照して、本発明に従って構成された合成樹脂製容器蓋の好適実施形態について、更に詳述する。
【００１３】
図１を参照して説明すると、ポリエチレン又はポリプロピレンの如き適宜の合成樹脂から射出成型又は圧縮成形することができる容器蓋２は、円形天面壁４とこの天面壁４の周縁から垂下する円筒形スカート壁６とを具備する。天面壁４の内面外周縁部には、下方に垂下する円筒形状の内側シール片８及び同様に下方に垂下する円筒形状の外側シール片１０が形成されている。更に、内側シール片８の外周面上端部には比較的小さい環状突条９が形成されている。
【００１４】
スカート壁６は比較的肉厚の厚肉上部１２と比較的肉薄の薄肉下部１４を有する。薄肉下部１４の上端部には周方向に延びる破断ライン１６が形成されており、スカート壁６は破断ライン１６より上方の主部１８と破断ライン１６より下方のタンパーエビデント裾部２０とに区画されている。図示の実施形態においては、破断ライン１６は周方向に間隔をおいて周方向に延びる複数個のスリット（切り溝）２２とスリット２２間に残留せしめられている複数個の橋絡部２４とから構成されており、タンパーエビデント裾部２０は複数個の橋絡部２４を介して主部１８に接続されている。図示の実施形態においては、複数個のスリット２２の周方向長さは全て実質上同一であると共に、隣接するスリット２２の間隔、即ち橋絡部２４の周方向長さも全て実質上同一であり、複数個の橋絡部２４の横断面積は全て実質上同一である。
【００１５】
図１と共に図２を参照して説明を続けると、スカート壁６の主部１８の外周面には、周方向に見て交互に存在する凹凸形状から構成された滑り止めローレット２６が形成されている。スカート壁６の主部１８の内周面には３条の雌螺条２８が形成されている。３条の雌螺条２８は１２０度の角度間隔をおいて配設されており、３条の雌螺条２８の各々は略１６０度の角度範囲に渡って延在せしめられている。タンパーエビデント裾部２０の外周面下端部は下方に向かって半径方向外方に傾斜する円錐台形状部３０と円錐台形状部３０の下方に形成される円筒形状部３２を含み、タンパーエビデント裾部２０の下端部は厚さが増大せしめられている。所望ならば、円筒形状部３２を円錐台形状部３０に滑らかに続く円錐台形状にすることもできる。タンパーエビデント裾部２０の内周面における軸線方向略中間部には係止手段３４が形成されている。係止手段３４は周方向に等角度間隔をおいて周方向に延びる４個乃至６個、図示の実施形態においては５個、の係止突条３６から形成され、係止突条３６の各々は同一形態である。係止手段３４は、周方向に等角度間隔をおいて複数個の係止突条３６を形成することに代えて、周方向に連続して伸びる１個の係止突条から構成することもできる。係止突条３６の各々の主部（両端部を除く部分）の縦断面形状は略直角三角形状であり、略水平に半径方向内方に或いは半径方向内方に向かって幾分下方に傾斜して延出する上面を有する。
【００１６】
タンパーエビデント裾部２０の内周面には、係止突条３６の下面から下方に延出し且つ内面は下方に向かって半径方向外方に傾斜する複数個の補強リブ３８が周方向に間隔をおいて複数個形成されていることが重要である。図示の実施形態においては、補強リブ３８の横断面形状は矩形であって、補強リブ３８の内面下端はタンパーエビデント裾部２０の内周面下端に合致せしめられている。補強リブ３８は係止突条３６の各々の主部に対して周方向に等角度間隔をおいて同一形態で２個乃至４個、図示の実施形態においては３個、形成されているのが好ましい。
【００１７】
図１には容器蓋２と共に容器の口頸部４０が二点鎖線で図示されている。ポリエチレンテレフタレートの如き適宜の合成樹脂、ガラス或いは金属薄板から形成することができる容器の口頸部４０は全体として円筒形状であり、口頸部４０の外周面には３条の雄螺条４２と雄螺条４２の下方に位置する係止あご部４４が形成されている。３条の雄螺条４２は容器蓋２における上記３条の雌螺条２８に対応して形成されており、１２０度の角度間隔をおいて配設され略１６０度の角度範囲に渡って延在せしめられている。口頸部４０の外周面には、更に、係止あご部４４の下方に位置するサポートリング４６（かかるサポートリング４６は当業者には周知の如く容器の搬送に利用される）も配設されている。
【００１８】
容器内に内容物を充填した後に口頸部４０に容器蓋２を装着して口頸部４０を密封する際には、口頸部４０に容器蓋２を被嵌せしめる。この際には、最初に、図３に実線で図示する如く、スカート壁６の下端が雄螺条４２の上面に当接せしめられる。そして容器蓋２を、必要に応じて閉回転方向（図１において上方から見て時計方向）に回転しながら、更に下方に強制せしめると、係止突条３６の下面から下方に延出し且つ内面は下方に向かって半径方向外方に傾斜する補強リブ３８が形成されている故に、スカート壁６の下端部が図３に二点鎖線で図示する如く半径方向外方に誘導変位せしめられ、かくしてスカート壁６の下端部が半径方向内方に変位して内側に巻き込まれることが充分確実に回避される。容器蓋２を更に下方に強制せしめると、補強リブ３８及び係止突条３６が雄螺条４２を弾性的に乗り越える。図示の実施形態においては、スカート壁６の下端部が円錐台形状部３０及び円筒形状部３２を含むことで厚さが増大されており、かかる事実からもスカート壁６の下端部が半径方向内方に変位して内側に巻き込まれることが防止される。容器蓋２を更に閉回転方向に回転せしめると、容器蓋２の雌螺条２８が口頸部４０の雄螺条４２に螺合せしめられる。図１に示す状態まで雌螺条２８を雄螺条４２に螺合せしめると、容器蓋２の内側シール片８が口頸部４０内に進入して口頸部４０の内周面に密接され、環状突条９が口頸部４０の頂面に密接せしめられ、外側シール片１０が口頸部４０の外周面に密接せしめられ、かくして口頸部４０が密封される。タンパーエビデント裾部２０の内周面に配設されている補強リブ３８及び係止突条３６は口頸部４０の係止あご部４４を弾性的に（即ちタンパーエビデント裾部２０の弾性変形乃至変位によって）乗り越えて係止あご部４４の下方に位置する。
【００１９】
内容物を消費するために口頸部４０を開封する際には、容器蓋２を開方向（即ち図１において上方から見て反時計方向）に回転せしめる。容器蓋２の係止突条３６が口頸部４０の係止あご部４４に係止せしめられる故に、タンパーエビデント裾部２０の上昇が阻止され、破断ライン１６、更に詳しくはその橋絡部２４に応力が生成され、破断ライン１６が破断されてタンパーエビデント裾部２０がスカート壁６の主部１８から分離される。しかる後においては、容器蓋２の開方向への回転に応じて容器蓋２のタンパーエビデント裾部２０を除く部分が上昇せしめられ、タンパーエビデント裾部２０を口頸部４０に残留せしめて容器蓋２が口頸部４０から離脱され、かくして口頸部４０が開封される。
【００２０】
図示の実施形態においては、口頸部４０の開封の際には破断ライン１６が周方向全体に渡って破断され、タンパーエビデント裾部２０がスカート壁６の主部１８から完全に分離されるが、所望ならばタンパーエビデント裾部２０に軸線方向に延びる付加破断ラインを形成し、口頸部４０を開封する際には破断ライン１６における橋絡部が局部的に破断されることなく残留せしめられてタンパーエビデント裾部２０はスカート壁６の主部１８に接続され続け、タンパーエビデント裾部２０の付加破断ラインが破断されてタンパーエビデント裾部２０が無端環状から有端環状に展開されて係止あご部４４に対する係止突条３６の係止が解除され、タンパーエビデント裾部２０を含む容器蓋２の全体が口頸部４０から離脱されるようになすこともできる。
【符号の説明】
【００２１】
２：容器蓋
４：天面壁
６：スカート壁
１６：破断ライン
１８：主部
２０：タンパーエビデント裾部
２２：スリット
２４：橋絡部
２８：雌螺条
３０：円錐台形状部
３４：係止手段
３６：係止突条
３８：補強リブ
４０：口頸部
４２：雄螺条
４４：係止あご部
【図１】
2014122061.tif 000003
【図２】
2014122061.tif 000004
【図３】
2014122061.tif 000005